【事件の表示】
　平成　７年特許願第３２５５５５号「布基礎の施工法」拒絶査定に対する審判事件［平成　９年　６月２４日出願公開、特開平　９−１６５７５６］について、次のとおり審決する。
【結　論】
　本件審判の請求は、成り立たない。
【理　由】
１．手続きの経緯・本願発明
　本願は、平成７年１２月１４日の出願であって、その請求項１に係る発明は、平成１１年８月２３日および平成１１年５月１１日付け手続補正書により補正された明細書および出願当初の図面の記載からみて、特許請求の範囲の請求項１に記載された事項により特定されるとおりのものと認められ、その請求項１に記載された発明（以下、「本願発明」という。）は次のとおりである。
【請求項１】　基礎梁部とフーチング部からなるプレキャストコンクリート製の単位布基礎部材を連結するものであり、隣接する単位布基礎部材が対向する、基礎梁部の端面位置には埋込みプレートが、その一部が露出した状態で上下２箇所に埋設され、かつ前記埋込みプレートの連結作業を行うための切欠きが基礎梁部端部側面に形成され、互いに連結される２個の単位布基礎部材の双方の埋込みプレートは平面上、同一線上に位置し、連結プレートは埋込みプレートの両面に配置されており、それに溶接されるアンカー筋が基礎梁部コンクリート中に埋設されて基礎梁部に定着されており、埋込みプレートの中心線とアンカー筋の中心線は同一線上に位置しており、基礎梁部とフーチング部の端面の、前記埋込みプレートの埋設位置を除く位置には、端面より窪んだ少なくとも１個の凹部が形成され、凹部の上下及び幅方向両側は相対的に凸となっており、隣接する単位布基礎部材はそれぞれの端面間に間隔をおいて設置され、双方の端面に露出する前記埋込みプレート間に両端が半円状の連結プレートが埋込みプレート両面に跨設され、連結プレートと埋込みプレートがボルト接合されると共に、両単位布基礎部材の端面間とそれぞれの凹部内にモルタル、もしくはコンクリートを充填して互いに連結する布基礎の施工法。
　
２．引用例
　これに対して、原査定の拒絶の理由に引用され、本願の出願前に国内において頒布された刊行物である、実公昭５２−５３３７３号公報（以下、「引用例１」という。）には、実用新案登録請求の範囲、第１頁第１欄第３５行〜同第２欄第２行、同第２欄第３〜２２行、同第３５〜３７行及び第１〜４図の記載を技術常識をもって参照すると、「プレキャストコンクリート製のブロック本体の側面に設けた縦溝に、ブロック本体の上下２箇所に埋設され一側面に基端を係止段部とした抵抗プレートを固定した平形鉄筋を突出せしめ、ブロック本体の下方には縦溝が外方に通じる操作口が設けられた基礎ブロックを対向せしめて、互いの平形鉄筋を同一軸線上に位置させて互いの抵抗プレートを対向せしめ、それぞれの端面間に間隔をおいて配置し、下方は操作口より、上下の平形鉄筋及び抵抗プレートに挿通する連結環の係止部を抵抗プレートの係止段部に係止せしめて連結し、縦溝間および基礎ブロックの縦溝により相対的に端面に形成された凸部間に固定材を充填して連結する布基礎の施工法」が記載されている。
　また、同特開平６−１８５０７３号公報（以下、「引用例２」という。）には、特許請求の範囲 、段落【０００１】、段落【０００６】〜段落【０００８】、段落【００１１】及び図１，２の記載を参照すると、「上、下主筋の先端に予めネジ部を設けて左右両端から突出埋設したＰＣ基礎部材を対向させ、二又金具及び平板金具からなる接続金具に、ナットの軸線を、二又金具及び平板金具の水平方向軸線に揃えて溶接固定したナットを、ネジ部に螺合固定し、左右両端から突出した接続金具を、二又金具に平板金具を挟み両者の共通孔に棒体を挿入して接続し、その周りにモルタル或いはコンクリートを充てんして接続部の強度を補強する、工業化布基礎に用いるＰＣ基礎部材の接続部に使用する接続金具」が記載されている。
　
３．対比・判断
　本願発明と引用例１に記載された発明を対比すると、引用例１に記載された発明の「基礎ブロック」、「ブロック本体」、「平形鉄筋」、「ブロック本体の縦溝が外方に通じる操作口」、「縦溝」、「連結環」および「固定材」は、それぞれの機能に照らし、各々本願発明の「単位布基礎部材」、「基礎梁部」、「埋込みプレート」、「基礎梁部端部側面に形成された切欠き」、「凹部」、「連結プレート」および「モルタルもしくはコンクリート」に相当するから、両者は、プレキャストコンクリート製の単位布基礎部材を連結するものであり、隣接する単位布基礎部材が対向する、基礎梁部の端面位置には埋込みプレートが、その一部が露出した状態で上下２箇所に埋設され、かつ前記埋込みプレートの連結作業を行うための切欠きが基礎梁部端部側面に形成され、互いに連結される２個の単位布基礎部材の双方の埋込みプレートは平面上、同一線上に位置し、基礎梁部の端面は、端面より窪んだ凹部が形成されることにより相対的に凸となっており、隣接する単位布基礎部材はそれぞれの端面間に間隔をおいて設置され、双方の端面に露出する前記埋込みプレート間に連結プレートを埋込みプレート両面に跨設し、連結プレートと埋込みプレートを連結すると共に、両単位布基礎部材の端面間とそれぞれの凹部内にモルタル、もしくはコンクリートを充填して互いに連結する布基礎の施工法の点で一致し、下記の点で相違している。
ａ．単位布基礎部材が、本願発明では基礎梁部とフーチング部からなるのに対し、引用例１に記載された発明では基礎梁部のみで、フーチング部がない点。
ｂ．切欠きが、本願発明では明記はされていないが上下２箇所に設けられていると解されるのに対し、引用例１に記載された発明では下方のみに設けられている点。
ｃ．本願発明では埋込みプレートの中心線とアンカー筋の中心線は同一線上に位置するように埋込みプレートに溶接されるアンカー筋が基礎梁部コンクリート中に埋設されているのに対し、引用例１に記載された発明では平形鉄筋の基端部がブロック本体中にそのまま埋設されている点。
ｄ．連結プレートと埋込みプレートの連結を、本願発明では両端が半円状の連結プレートが埋込みプレートの両面に配置されボルト接合されているのに対し、引用例１に記載された発明では平形鉄筋及び抵抗プレートに挿通する連結環の係止部を平形鉄筋の一側面に固定し基端を係止段部とした抵抗プレートの係止段部に係止せしめて連結している点。
　上記相違点ａに関し、布基礎部材として、基礎梁部とフーチング部からなるものは、例をあげるまでもなく周知技術にすぎず、引用例１に記載された発明の基礎ブロックを基礎梁部とフーチング部からなるものとすることは、設計的事項にすぎない。
　また、上記相違点ｂに関し、引用例１に記載された発明では、本願発明の「切欠き」に相当する「操作口」は下方のみに設けられているが、これを上下両方に設けることも、当業者が適宜なし得る設計的事項にすぎない。
　ここで、上記相違点ｃに関し、引用例２をみると、引用例２には、工業化布基礎に用いるＰＣ基礎部材の接続部に使用するナットの軸線を、二又金具及び平板金具の水平方向軸線に揃えて溶接固定したナットが螺合固定されるネジ部を、ＰＣ基礎部材の上、下主筋の先端に予め設けて左右両端から突出埋設されていること、つまり、上記相違点ｃに係る本願発明の構成と同様な構成が記載されており、これを、引用例１に記載された発明の平形鉄筋の基端部をブロック本体中にそのまま埋設するのに代えて採用することは、当業者が容易に想到しうる程度のことである。
　さらに、上記相違点ｄに関し、一般的に接合手段としてボルト接合は周知技術であり、かつ、接合部の補強のため添え板を両面に配することは当業者なら当然思いつく程度のことであり、また、連結プレートの両端を半円状とした点は設計的事項にすぎないから、引用例１に記載された発明の平形鉄筋と連結環の連結として、上記相違点ｄに係る本願発明の構成とすることは、当業者が容易になし得ることにすぎない。
　そして、本願発明によってもたらされる効果も、引用例１、２に記載された発明および周知技術から当業者であれば予測することができる程度のものであって、格別顕著なものとはいえない。
　　
４．むすび
　したがって、本願発明は、引用例１、２に記載された発明および周知技術から当業者が容易に発明をすることができたものであるから、本願発明は、特許法第２９条第２項の規定により特許を受けることができない。
　よって、結論のとおり審決する。